(57)【要約】【課題】本発明は、排水設備の排水管の切断作業を一人で安全に行えるようにすることを目的とする。【解決手段】本発明に係る排水管用支持冶具は、集合住宅における排水設備の排水管を切断して撤去する際に使用される排水管用支持冶具３０であって、排水管の切断部位より上流側の管外周面に取付け、取外し可能に構成された上流側固定部３３と、排水管の切断部位より下流側の管外周面に取付け、取外し可能に構成された下流側固定部３５と、上流側固定部３３と下流側固定部３５とを相対移動不能な状態で連結する連結部３７とを有している。【選択図】図１
2010185221.tif 000002
【特許請求の範囲】
【請求項１】
集合住宅における排水設備の排水管を切断して撤去する際に使用される排水管用支持冶具であって、
前記排水管の切断部位より上流側の管外周面に取付け、取外し可能に構成された上流側固定部と、
前記排水管の切断部位より下流側の管外周面に取付け、取外し可能に構成された下流側固定部と、
前記上流側固定部と前記下流側固定部とを相対移動不能な状態で連結する連結部と、
を有することを特徴とする排水管用支持冶具。
【請求項２】
請求項１に記載の排水管用支持冶具であって、
前記上流側固定部と下流側固定部とは、前記管外周面を周方向に囲む一対の半円部材と、それらの半円部材の一端を相対回動可能な状態で連結するヒンジ機構と、それらの半円部材の他端を互いに連結させ、その状態で前記他端を相互に接近させる方向に動作可能な締め付け機構とを備えており、
前記締め付け機構が前記半円部材の他端を互いに接近させる方向に動作することで、前記一対の半円部材が前記管外周面を半径方向外側から締め付けてその管外周面に取付けられる構成であることを特徴とする排水管支持冶具。
【請求項３】
請求項２に記載の排水管用支持冶具であって、
前記締め付け機構は、一方の半円部材の端部に固定される受け部と、他方の半円部材の端部に回動可能な状態で連結されるレバー部と、そのレバー部に連結されて前記受け部に係合可能に構成されたバンド部とを備えており、
前記バンド部を前記受け部に係合させた状態で、前記レバー部を締め付け方向に回動させることで、一方の半円部材の端部と他方の半円部材の端部とが接近するように構成されていることを特徴とする排水管用支持冶具。
【発明の詳細な説明】
【技術分野】
【０００１】
本発明は、集合住宅における排水設備の排水管を切断して撤去する際に使用される排水管用支持冶具に関する。
【背景技術】
【０００２】
集合住宅における排水設備の一例が特許文献１に記載されている。
特許文献１に記載の排水設備は、図７に示すように、集合住宅の上階と下階とを仕切るコンクリートスラブＣＳを貫通して各階に設置されている排水管継手１１０を備えている。排水管継手１１０は、上階の排水立て管１０２及び排水横枝管１０３により導かれた排水を合流させて下階の排水立て管１０２に流入させる継手であり、その胴部１１１がコンクリートスラブＣＳの貫通孔ＣＨに通された状態で埋め戻しモルタルＭ等により固定されている。
排水立て管１０２は上部受け口１０２ｕを備えており、その上部受け口１０２ｕに上階の排水管継手１１０の下端直管部１１５が挿入接続される。また、排水立て管１０２の下端挿し口が下階の排水管継手１１０の上受け口１１２に挿入接続される。
上記した排水設備において、例えば、途中の排水立て管１０２で詰まりや破損が発生し、その部分の排水立て管１０２のみを更新したい場合には、排水立て管１０２を切断して撤去する必要がある。
前記排水立て管１０２を切断、撤去する場合には、作業者の一人が排水立て管１０２の切断部位（点線参照）よりも上を押えた状態で、別の作業者が鋸等で前記排水立て管１０２を切断するのが一般的である。
【先行技術文献】
【特許文献】
【０００３】
【特許文献１】特開２００６−２２５８１号公報
【発明の概要】
【発明が解決しようとする課題】
【０００４】
仮に、排水立て管１０２の切断作業を一人で行うとすると、排水立て管１０２の切断時に切断部位よりも上に位置する排水立て管片の上部受け口１０２ｕが自重で上階の排水管継手１１０の下端直管部１１５から抜け、その排水立て管片が落下するおそれがある。このため、排水立て管１０２の切断作業を一人で安全に行うのは難しい。
【０００５】
本発明は、上記問題点を解決するためになされたものであり、本発明の技術的課題は、排水設備の排水管の切断作業を一人で安全に行えるようにすることである。
【課題を解決するための手段】
【０００６】
上記した課題は、各請求項の発明によって解決される。
請求項１の発明は、集合住宅における排水設備の排水管を切断して撤去する際に使用される排水管用支持冶具であって、前記排水管の切断部位より上流側の管外周面に取付け、取外し可能に構成された上流側固定部と、前記排水管の切断部位より下流側の管外周面に取付け、取外し可能に構成された下流側固定部と、前記上流側固定部と前記下流側固定部とを相対移動不能な状態で連結する連結部とを有することを特徴とする。
【０００７】
本発明によると、例えば、排水立て管を切断する際に上流側固定部を排水立て管の切断部位よりも上側の管外周面に取付け、下流側固定部を切断部位よりも下側の管外周面に取付ける。この状態で、排水立て管の切断部位を切断すると、その切断部位より上側に位置する排水立て管片と下側に位置する排水立て管片とが排水管用支持冶具の連結部によって連結された状態に保持される。即ち、排水立て管の切断部位が切断されたとしても、排水立て管は排水管用支持冶具の働きで元の姿勢に保持される。したがって、排水立て管が切断された時に、例えば、上側の排水立て管片が重力で落下するような不具合がなくなる。これにより、排水設備の排水立て管の切断作業を一人で安全に行えるようになる。
そして、排水立て管の切断後に上流側固定部を上側の排水立て管片から取外すことで、上側の排水立て管片を撤去することができる。さらに、排水管用支持冶具を利用して下側の排水立て管片の下端挿し口をその階の排水管継手の上受け口から引き抜くことができる。
【０００８】
請求項２の発明によると、上流側固定部と下流側固定部とは、管外周面を周方向に囲む一対の半円部材と、それらの半円部材の一端を相対回動可能な状態で連結するヒンジ機構と、それらの半円部材の他端を互いに連結させ、その状態で前記他端を相互に接近させる方向に動作可能な締め付け機構とを備えており、前記締め付け機構が前記半円部材の他端を互いに接近させる方向に動作することで、前記一対の半円部材が前記管外周面を半径方向外側から締め付けてその管外周面に取付けられる構成であることを特徴とする。
【０００９】
請求項３の発明によると、締め付け機構は、一方の半円部材の端部に固定される受け部と、他方の半円部材の端部に回動可能な状態で連結されるレバー部と、そのレバー部に連結されて前記受け部に係合可能に構成されたバンド部とを備えており、前記バンド部を前記受け部に係合させた状態で、前記レバー部を締め付け方向に回動させることで、一方の半円部材の端部と他方の半円部材の端部とが接近するように構成されていることを特徴とする。
即ち、レバー部を回動させることで、ワンタッチで一方の半円部材の端部と他方の半円部材の端部とを接近、離隔させることが可能になる。
【発明の効果】
【００１０】
本発明によると、排水設備の排水管の切断作業を一人で安全に行えるようになる。
【図面の簡単な説明】
【００１１】
【図１】本発明の実施形態１に係る排水管用支持冶具の全体斜視図である。
【図２】前記排水管用支持冶具の側面図である。
【図３】前記排水管用支持冶具の平面図（Ａ図）（Ｂ図）である。
【図４】前記排水管用支持冶具の使用方法を表す側面図（Ａ図）（Ｂ図）（Ｃ図）である。
【図５】本発明の実施形態２に係る排水管用支持冶具の正面図（Ａ図）、側面図（Ｂ図）である。
【図６】前記排水管用支持冶具の平面図（Ａ図）（Ｂ図）である。
【図７】従来の排水設備を表す側面図である。
【発明を実施するための形態】
【００１２】
［実施形態１］
以下、図１〜図４に基づいて本発明の実施形態１に係る排水管用支持冶具の説明を行なう。
＜排水管用支持冶具３０について＞
本実施形態に係る排水管用支持冶具３０は、集合住宅における排水設備１０（図４（Ａ）参照）の排水立て管１２を切断して撤去する際に使用される冶具である。排水管用支持冶具３０は、図１〜図３に示すように、上流側固定部３３と下流側固定部３５と連結部３７とから構成されている。
上流側固定部３３は、排水立て管１２の切断部位Ｃ（図４参照）よりも上流側（上側）の管外周面１２ｒに取付け、取外し可能に構成されている。また、下流側固定部３５は、排水立て管１２の切断部位Ｃよりも下流側（下側）の管外周面１２ｒに取付け、取外し可能に構成されている。ここで、上流側固定部３３と下流側固定部３５とは等しい構成のため、代表して上流側固定部３３の構成を説明し、下流側固定部３５の構成の説明は省略する。
【００１３】
＜上流側固定部３３について＞
上流側固定部３３は、図３（Ａ）（Ｂ）等に示すように、排水立て管１２の管外周面１２ｒ（図４（Ａ）参照）を周方向に囲む一対の半円部材３３１，３３２を備えている。半円部材３３１，３３２は、例えば、鋼製の帯状板を半円形に曲げ成形したものであり、その半円の極率半径が排水立て管１２の半径寸法にほぼ等しく設定されている。一方の半円部材３３１の基端部と他方の半円部材３３２の基端部とは、ヒンジ機構３４によって相対回動可能な状態で連結されている。これにより、一対の半円部材３３１，３３２を図３（Ａ）に示すように円環状にして排水立て管１２の管外周面１２ｒを囲んだり、図３（Ｂ）に示すように一対の半円部材３３１，３３２を開放させることが可能になる。
【００１４】
また、一方の半円部材３３１の先端部と他方の半円部材３３２の先端部とは、それぞれ半径方向外側に略90°折り曲げられており、その折り曲げられた先端部３３１ｓ，３３２ｓが角形の平板状に形成されている。一方の半円部材３３１の先端部３３１ｓ（以下、平板部３３１ｓという）には、中央にボルト孔（図示省略）が形成されており、その平板部３３１ｓの裏側でボルト孔と同軸位置にナット３３１ｎが溶接により固定されている。また、他方の半円部材３３２の平板部３３２ｓには、中央に貫通孔（図示省略）が形成されており、その貫通孔に蝶ボルト３３２ｂが軸心回りに回転可能で、かつ軸方向に相対移動不能な状態で装着されている。このため、他方の半円部材３３２の蝶ボルト３３２ｂを一方の半円部材３３１のボルト孔に通し、ナット３３１ｎと螺合させることで、一方の半円部材３３１の平板部３３１ｓと他方の半円部材３３２の平板部材３３２ｓとを接近させて、排水立て管１２の管外周面１２ｒを両半円部材３３１，３３２により半径方向外側から締め付けることが可能になる。
即ち、前記蝶ボルト３３２ｂとナット３３１ｎとが本発明の締め付け機構に相当する。
【００１５】
＜連結部３７について＞
上流側固定部３３における一方の半円部材３３１の基端部には、図１〜図３に示すように、連結部３７の上側横支柱３７ｕの先端が溶接により固定されている。また、下流側固定部３５における一方の半円部材３５１の基端部には、同じく連結部３７の下側横支柱３７ｄの先端が溶接により固定されている。
連結部３７は、上流側固定部３３と下流側固定部３５とを相対移動不能な状態で連結する部分である。連結部３７は、縦方向に延びる角筒状の支柱本体３７ｍと、その支柱本体３７ｍの上端部から横方向に突出した上側横支柱３７ｕと、前記支柱本体３７ｍの下端部から横方向に突出した下側横支柱３７ｄとにより略コ字形に形成されている。連結部３７は、上流側固定部３３と下流側固定部３５とに排水立て管１２の全重量が加わった場合にもその重量に耐えられる強度で形成されている。さらに、連結部３７の高さ寸法は、排水立て管１２を切断する際に作業者が上流側固定部３３と下流側固定部３５との間で鋸を余裕をもって使用できるような高さ寸法に設定されている。
【００１６】
＜排水管用支持冶具３０の使用方法について＞
次に、図４（Ａ）〜（Ｂ）に基づいて、上記した排水管用支持冶具３０の使用方法について説明する。
先ず、図１に示すように、排水管用支持冶具３０の上流側固定部３３の蝶ボルト３３２ｂをナット３３１ｎから外し、一方の半円部材３３１と他方の半円部材３３２とを開放可能状態にする。同様に、下流側固定部３５の蝶ボルト３５２ｂをナット３５１ｎから外し、一方の半円部材３５１と他方の半円部材３５２とを開放可能状態にする。
次に、下流側固定部３５の一対の半円部材３５１，３５２を、図４（Ａ）に示すように、排水立て管１２の切断部位Ｃより下側の管外周面１２ｒに取付ける。即ち、一対の半円部材３５１，３５２を円環状にして管外周面１２ｒを囲み、それらの半円部材３５１，３５２に装着された蝶ボルト３５２ｂとナット３５１ｎとを螺合させる。これにより、管外周面１２ｒが半円部材３５１，３５２により半径方向外側から締め付けられ、下流側固定部３５が排水立て管１２の切断部位Ｃより下側の管外周面１２ｒに取付けられる。同様に、上流側固定部３３の一対の半円部材３３１，３３２を排水立て管１２の切断部位Ｃより上側の管外周面１２ｒに取付ける。
なお、上流側固定部３３を下流側固定部３５よりも先に排水立て管１２の管外周面１２ｒに取付けることも可能である。
【００１７】
このようにして、排水管用支持冶具３０を排水立て管１２に取付けた後、その排水立て管１２の切断部位Ｃを鋸で切断する。前記切断部位Ｃを切断した後も、排水管用支持冶具３０によってその切断部位Ｃより上側に位置する排水立て管片１２ｕと下側に位置する排水立て管片１２ｄとは連結された状態に保持されている。即ち、排水立て管１２の切断部位Ｃが切断されたとしても、排水立て管１２は元の姿勢に保持されている。
次に、上流側固定部３３の蝶ボルト３３２ｂをナット３３１ｎから外し、一対の半円部材３３１，３３２を開放可能状態にして、上側の排水立て管片１２ｕの管外周面１２ｒから取外す。そして、図４（Ｂ）に示すように、上側の排水立て管片１２ｕの受け口ソケット１４を上階の排水管継手２０の下端直管部２４から引き抜き、その上側の排水立て管片１２ｕを撤去する。
このとき、仮に、排水立て管片１２ｕの受け口ソケット１４と上階の排水管継手２０の下端直管部２４とのシール部が経年変化により固着して引き抜きが大変な場合には、図４（Ｂ）の二点鎖線に示すように、排水管用支持冶具３０を上側の排水立て管片１２ｕに再度取付け、その排水管用支持冶具３０の連結部３７を持って上側の排水立て管片１２ｕを引き抜くようにする。
そして、上側の排水立て管片１２ｕを撤去した後、次に、下側の排水立て管片１２ｄの下端挿し口を下階の排水管継手２０の上受け口２２から引き抜き、その下側の排水立て管片１２ｄを撤去する。
【００１８】
ここで、下階の排水管継手２０の上受け口２２から下側の排水立て管片１２ｄの下端挿し口を引き抜くのが大変なときには、図４（Ｃ）に示すように、下側の排水立て管片１２ｄの中央位置に排水管用支持冶具３０を再度取付け、その排水管用支持冶具３０の連結部３７を持って下側の排水立て管片１２ｄの引き抜き作業を行う。
このように、排水管用支持冶具３０の連結部３７を持って排水立て管片１２ｕ，１２ｄの引き抜きを行うことで、例えば、排水管継手片１２ｕ，１２ｄと排水管継手２０とのシール部が経年変化により固着したような場合でも、排水立て管片１２ｕ，１２ｄを持ち上げ、引き下ろし、回転、揺すり等が容易になり、引き抜き作業の効率が向上する。
【００１９】
＜本実施形態に係る排水管用支持冶具３０の長所について＞
本実施形態に係る排水管用支持冶具３０によると、上流側固定部３３を排水立て管１２の切断部位Ｃよりも上側の管外周面１２ｒに取付け、下流側固定部３５を切断部位Ｃよりも下側の管外周面１２ｒに取付けた状態で切断部位Ｃを切断すると、その切断部位Ｃより上側に位置する排水立て管片１２ｕと下側に位置する排水立て管片１２ｄとが連結された状態に保持される。即ち、排水立て管１２の切断部位Ｃが切断されたとしても、排水立て管１２は排水管用支持冶具３０の働きで元の姿勢に保持される。したがって、排水立て管１２が切断された時に、例えば、上側の排水立て管片１２ｕが重力で落下するような不具合がなくなる。これにより、排水設備の排水立て管１２の切断作業を一人で安全に行えるようになる。
そして、排水立て管１２の切断後に上流側固定部３３を上側の排水立て管片１２ｕから取外すことで、上側の排水立て管片１２ｕを撤去することができる。さらに、排水管用支持冶具３０を利用して下側の排水立て管片１２ｄの下端挿し口をその階の排水管継手２０の上受け口２２から引き抜くことができる。
さらに、鋸で排水立て管１２の切断部位Ｃを切断する過程で、上側の排水立て管片１２ｕの重量が鋸に加わらないため、切断部位Ｃの切断が容易になる。
【００２０】
［実施形態２］
以下、図５、図６に基づいて本発明の実施形態２に係る排水管用支持冶具の説明を行なう。
実施形態２に係る排水管用支持冶具は、実施形態１に係る排水管用支持冶具３０の上流側固定部３３、下流側固定部３５における締め付け機構（蝶ボルト３３２ｂ，３５２ｂとナット３３１ｎ，３５１ｎ）をワンタッチで締め付け、及び締め付け解除できるような機構に改良したものである。なお、他の構成については実施形態１に係る排水管用支持冶具３０と同様であるため、同一番号を付して説明を省略する。
図６等に示すように、本実施形態に係る排水管用支持冶具の締め付け機構は、一方の半円部材３３１の先端に固定された機構本体部４０と、他方の半円部材３３２の先端に形成された断面Ｕ字形の受け部４８とから構成されている。
【００２１】
機構本体部４０は、図６（Ｂ）に示すように、一方の半円部材３３１の先端に固定されたベース４１を備えている。ベース４１の先端には、半円部材３３１の幅方向（軸方向）に延びる連結ピン４２が設けられており、その連結ピン４２を介してレバー部４４の基端部がベース４１に対して回動可能な状態で連結されている。即ち、レバー部４４は、図６（Ｂ）に示すように、ベース４１に対して起立した起立位置と、そのベース４１に被せられる倒伏位置との間で連結ピン４２を中心にして回動できるように構成されている。
前記レバー部４４の上下両端（図６（Ｂ）において手前側と奥側）には、中央寄りの位置に上下一対の嵌合孔４４ｋが形成されている。上下一対の嵌合孔４４ｋはその軸心が連結ピン４２と平行になるように形成されており、それらの嵌合孔４４ｋに略Ｕ形に形成されたバンド部４５のピン状基端部（図示省略）が回動自在な状態で嵌合している。さらに、バンド部４５の先端部分には、他方の半円部材３３２の先端に形成された受け部４８に掛けられる掛かり部４５ｘが前記連結ピン４２と平行に形成されている。
【００２２】
上記構成により、図６（Ｂ）に示す状態で、一方の半円部材３３１に固定された機構本体部４０のバンド部４５（掛かり部４５ｘ）を他方の半円部材３３２の受け部４８に掛け、機構本体部４０のレバー部４４を倒伏位置まで回動させることで、図６（Ａ）に示すように、一方の半円部材３３１の先端部に他方の半円部材３３２の先端部を引き付けることができる。即ち、排水立て管１２の管外周面１２ｒに対する上流側固定部３３等の取付けをレバー部４４の操作によりワンタッチで行うことができる。また、前記レバー部４４をベース４１に対する起立位置まで回動させることで、一方の半円部材３３１の先端部から他方の半円部材３３２の先端部を離し、バンド部４５の掛かり部４５ｘを受け部４８から外すことができる。即ち、レバー部４４の操作により上流側固定部３３等を排水立て管１２の管外周面１２ｒからワンタッチで外すことができる。
【００２３】
＜変更例＞
ここで、本発明は上記実施形態に限定されるものではなく、本発明の要旨を逸脱しない範囲における変更が可能である。例えば、実施形態１、２に係る排水管用支持冶具３０では、上流側固定部３３等を一対の半円部材３３１，３３２とヒンジ機構３４とにより構成する例を示したが、半円部材３３１，３３２、ヒンジ機構３４の代わりに可撓性を有する略Ｃ字形の環状部材を使用することも可能である。
また、実施形態１、２では、排水立て管１２の切断及び撤去に本発明に係る排水管用支持冶具３０を使用する例を示したが、高所に使用されている排水横枝管等の切断及び撤去に本発明に係る排水管用支持冶具３０を使用することも可能である。
【符号の説明】
【００２４】
１０・・・・・排水設備
１２・・・・・排水立て管（排水管）
１２ｒ・・・・管外周面
１２ｕ・・・・上側の排水立て管片
１２ｄ・・・・下側の排水立て管片
３０・・・・・排水管用支持冶具
３３・・・・・上流側固定部
３３１・・・・半円部材
３３２・・・・半円部材
３３１ｎ・・・ナット（締め付け機構）
３３２ｂ・・・蝶ボルト（締め付け機構）
Ｃ・・・・・・切断部位
３４・・・・・ヒンジ機構
３５・・・・・下流側固定部
３７・・・・・連結部
４４・・・・・レバー部（締め付け機構）
４５・・・・・バンド部（締め付け機構）
４８・・・・・受け部（締め付け機構）
【図１】
2010185221.tif 000003
【図２】
2010185221.tif 000004
【図３】
2010185221.tif 000005
【図４】
2010185221.tif 000006
【図５】
2010185221.tif 000007
【図６】
2010185221.tif 000008
【図７】
2010185221.tif 000009